(57)【要約】【課題】プリンティングモジュールと印刷待ち物品との間の距離を正確に把握することによって、印刷効果を高めるプリンターに於けるプリンティングモジュールの距離センサー装置を提供する。      【解決手段】プリンターに於けるプリンティングモジュールの距離センサー装置は、稼動装置を含み、該稼動装置はプリンティングモジュールの側面板で稼動し、プリンティングモジュールが所定距離まで下降した時、稼動体の一端が印刷待ち物品の表面に接触して動かし、稼動体別端をセンサースイッチに接触させて、プリンティングモジュールが下降するのを停止させる。【選択図】図３
0003139749.tif 000002
【実用新案登録請求の範囲】
【請求項１】
プリンティングモジュールの側面板上に稼働装置を設置し、この稼動装置はプリンティングモジュールの側面板上で稼動する稼働体を有し、上記プリンティングモジュールが所定距離まで下降した時、この稼動体の一端が印刷待ち物品の表面に接触して稼動し、該稼動体の他端がセンサースイッチに接触して、上記プリンティングモジュールの下降を停止させることを特徴とするプリンターに於けるプリンティングモジュールの距離センサー装置。
【請求項２】
上記稼動装置とセンサースイッチとを板体に配設してプリンティングモジュールの側面板上に結合することを特徴とする請求項１記載のプリンターに於けるプリンティングモジュールの距離センサー装置。
【請求項３】
更に、バネを有し、該バネの一端は上記板体上に設置され、このバネの他端は上記稼動装置の中段箇所に設置して上記板体と稼動装置との間を連接して牽引力を提供し、該稼動装置をスピーディに動かすことができるようにしたことを特徴とする請求項２記載のプリンターに於けるプリンティングモジュールの距離センサー装置。
【請求項４】
前記稼動装置は、印刷待ち物品の一端に、更に印刷待ち物品の表面と接触するローラーを設置することを特徴とする請求項１又は３記載のプリンターに於けるプリンティングモジュールの距離センサー装置。
【請求項５】
上記板体は、稼動装置に近い他端位置に欠切口を有し、該稼動装置がセンサースイッチに接触した時、該稼動装置を押さえることを特徴とする請求項３記載のプリンターに於けるプリンティングモジュールの距離センサー装置。
【請求項６】
上記板体は、上記稼動装置に近い他端位置に更に欠切口を形成し、該稼動装置がセンサースイッチに接触すると、該稼動装置を押さえることを特徴とする請求項４記載のプリンターに於けるプリンティングモジュールの距離センサー装置。
【請求項７】
上記板体には、更に調整ネジを設け、上記稼動装置の位置調整を可能としたことを特徴とする請求項２記載のプリンターに於けるプリンティングモジュールの距離センサー装置。
【請求項８】
上記センサースイッチは、告知用の警報機に連接することを特徴とする請求項２記載のプリンターに於けるプリンティングモジュールの距離センサー装置。
【請求項９】
上記警報機は、ライトであることを特徴とする請求項８記載のプリンターに於けるプリンティングモジュールの距離センサー装置。
【請求項１０】
上記警報機は、発声器であることを特徴とする請求項８記載のプリンターに於けるプリンティングモジュールの距離センサー装置。
【請求項１１】
上記稼動体は、印刷待ち物品に接触する一端に、印刷待ち物品の表面に接触する一ローラーを設置し、且つバネと連結し、該バネの一端はプリンティングモジュールの側面板に配置され、他端は稼動装置に設置して、プリンティングモジュールと稼動装置中段の間で連接して牽引力を提供し、稼動装置をスピーディに動かし、告知するための警報機に接触することを特徴とする請求項１記載のプリンターに於けるプリンティングモジュールの距離センサー装置。
【考案の詳細な説明】
【技術分野】
【０００１】
本考案は、プリンターに於けるプリンティングモジュールの距離センサー装置に係り、特にプリンティングモジュールが印刷待ち物品に向けて下降して所定高度になると、稼動装置がセンサースイッチをオンにして警報信号を発し、プリンティングモジュールの下降を停止させるようにしたプリンターに於けるプリンティングモジュールの距離センサー装置に関する。
【背景技術】
【０００２】
大型インクジェットプリンタは、多くの異なる材質もしくは異なる厚みの印刷待ち物品に印刷を行うようになっている。この種プリンタは、良好な印刷速度を提供し、また安定した印刷の品質を求める他に、ユーザーに利用される機能としては、ユーザーの色分けハーフトーンの作業と時間を節約してスピーディに印刷動作を完了することである。
【０００３】
現在、市場で見かける大型インクジェットプリンタは、主に本体の滑動プラットホーム上に制御可能な往復移動する基台を設置し、この基台内にプリンティングモジュールを設置している。このプリンティングモジュールは、複数個のインクカートリッジ及び複数個の各インクカートリッジに対応するインクジェットヘッドを備え、これらのインクジェットヘッド底部の噴射口を経てインクが印刷待ち物品に吹き付けられ、固化装置でインクを急速に硬化して凝固させるようになっている。
【考案の開示】
【考案が解決しようとする課題】
【０００４】
解決しようとする問題点は、以下の点である。
【０００５】
大型インクジェットプリンタは、各種異なる材質の印刷待ち物品上に印刷するが、各種被印刷物の厚み及び硬度はすべて同じではない。そのため異なる被印刷物を交換する場合、プリンティングモジュールの高さをその都度調整しなければならず、被印刷物及びインクジェットヘッドの間に一定のインクジェット距離を保たねばならない。しかしながら、プリンティングモジュールが下降する過程において、作業者は複数回に渡って調整、テスト印刷をして、やっとプリンティングモジュールを最適な高さに調整できる。インクジェットヘッドは、プリンティングモジュールの高度が低すぎると被印刷物の表面に当たってインクジェットヘッド及び被印刷物を損耗することとなる。
【０００６】
上述の欠点を改善するため、プリンターのプリンティングモジュールが適度な高度に下降した時、簡単な距離センサー装置で信号を発し、プリンティングモジュールの下降を停止させ、プリンティングモジュールと印刷待ち物品の間の距離を正確に把握することによって印刷効果を高める必要がある。
【０００７】
本考案は、上記事情に鑑みてなされたもので、プリンターに於けるプリンティングモジュールの距離センサー装置を提供し、プリンティングモジュールの側面板に一稼動装置を設置し、その稼動装置はプリンティングモジュールが一距離まで下降した時、一印刷待ち物品の表面に接触して稼動し、稼動体によって一センサースイッチに接触し、プリンティングモジュールの下降を停止することができるようにした
プリンターに於けるプリンティングモジュールの距離センサー装置を提供することを目的とする。
【課題を解決するための手段】
【０００８】
本考案プリンターに於けるプリンティングモジュールの距離センサー装置は、稼動装置を有し、該稼動装置はプリンティングモジュール上に枢設可動可能に設置されている。この稼動装置は稼動体を有し、この稼動体はプリンティングモジュールの側面板上で稼動する。そして、このプリンティングモジュールが所定距離まで下降した時、稼動体の一端が印刷待ち物品の表面に接触して動き、該稼動体の別端がセンサースイッチに接触し、プリンティングモジュールの下降を停止させる。
【考案の効果】
【０００９】
本考案のプリンターに於けるプリンティングモジュールの距離センサー装置は、次の利点がある。
【００１０】
本考案によれば、プリンティングモジュールの側面板に稼動装置を設置し、この稼動装置とプリンティングモジュールの側面板との間にバネを設置して、上記プリンティングモジュールが予定高度まで下降すると、スピーディにセンサースイッチに接触して信号を発し、該プリンティングモジュールの下降を停止させる。
【００１１】
本考案は、稼動装置の後方に調整ネジを設置することにより、該稼動装置が印刷待ち物品の特性、もしくは印刷待ち物品の印刷品質に基づいて稼動装置を簡単に調整して、印刷待ち物品の表面角度及びその作動の感度に対し、プリンティングモジュールを印刷待ち物品の最良の高度で止め、品質及び安定度を高めることができる。
【００１２】
また、本考案は、板体前側の稼動装置に近い別端位置に更に欠切口を設置することにより、稼動体がセンサースイッチに接触した時、該稼動体が直接センサースイッチに当たるのを避け、センサースイッチの寿命を延ばすことができる。
【００１３】
本考案は、構造が簡単で、製造コストが低く、且つ補修も便利であり、コストを下げることができる。
【考案を実施するための最良の形態】
【００１４】
以下、図面を参照して本考案の実施例を説明する。
【実施例１】
【００１５】
本考案の実施例において、稼動体は印刷待ち物品に接触する一端に印刷待ち物品の表面に接触するローラーを有し、且つこの稼動体はバネに連結されている。このバネの一端は、プリンティングモジュールの側面板に設置され、上記バネの別端は稼動体に連結し、上記プリンティングモジュールの側面板と稼動体の中段との間に連接して牽引力を提供し、上記稼動体をスピーディに動かし、また告知するための警報機に接触する。
【００１６】
図１及び図２は、本考案のプリンターに於けるプリンティングモジュールの距離センサー装置の第一実施例を示し、稼動装置１、ローラー２、バネ３及びセンサースイッチ４を備えている。本考案の実施例で設置した距離センサー装置のモジュール化により、組立、補修が便利である。上述のこれらの部品は、板体５に設置し、該板体５はプリンティングモジュール６の側面板６１上に固定し、これら部品は上記板体５を経てプリンティングモジュール６の側面板６上に結合する（図３参照）。
【００１７】
上記稼動装置１は、ネジ栓１１で直接板体５上に枢設可動可能に設置され、この稼動装置１は稼動体１２を含み、該稼動体１２はプリンティングモジュール６の側面板６１上で稼動する。また、ローラー２は稼動体１２の印刷待ち物品７に接触する一端に設置し、印刷待ち物品７の表面と接触する（図４参照）。このセンサースイッチ４は、稼動体１２の上端に設置し、且つセンサースイッチ４は知らせるための警報機４１を設置し、稼動体１２が上向きに動く時、稼動体１２の別端はセンサースイッチ４に接触する。
【００１８】
バネ３の一端は、板体５の突出した第一軸柱５１に設置され、該バネの別端は上述の稼動体１２中断箇所に延びた第二軸柱１２１上に設置して板体５と稼動体１２との間を連接して牽引力を提供し、該稼動体１２を軸栓１１を中心としてスピーディに動かすことができるようになっている。
【００１９】
更に、板体５上には、稼動体１２後方位置に調整ネジ８を設置し、該稼動体１２の前後位置を調整して押さえるようになっている。
【００２０】
図４から図６に示すとおり、プリンティングモジュールが所定距離まで下降して、ローラー２を印刷待ち物品７の表面に接触させると、該ローラー２は稼動体２前方へ向かって回転し、該稼動体１２及びバネ３を時計と逆方向の上向きに動かし、上位バネ３の動きが稼動装置１上のネジ栓１１位置を超過すると、該バネ３の牽引力によって上記稼動体１２の別端を即座に上向きに動かしてセンサースイッチ４に接触して、警報機４１が触発され、作業者にプリンティングモジュールの下降を停止するように知らせる。
【００２１】
良好な実施例として、この警報機４１はライトもしくは発声器とすることができる。
【００２２】
また、良好な実施例として、上記板体５は、その前側の稼動体１２別端位置に近い箇所に欠切口５２を形成し、該稼動体１２がセンサースイッチ４に接触した時、稼動体１２を押さえるようにする。
【実施例２】
【００２３】
この他、本考案の距離センサー装置は直接プリンティングモジュール上に設置する。図７に示すのはプリンターに於けるプリンティングモジュールの距離センサー装置の第二実施例であり、稼動装置１、ローラー２、バネ３及びセンサースイッチ４を備えている。
【００２４】
上記稼動装置１は、ネジ栓１１で直接プリンティングモジュール６の側面板６１上に枢設可動可能に設置し、該稼動装置１は稼動体１２を含み、該稼動体１２はプリンティングモジュール６の側面板６１で稼動するようになっている。また、上記ローラー２は、印刷待ち物品の一端に接触する稼動体に設置し、印刷待ち物品の表面と接触する。上記センサースイッチ４は、稼動体１２の上端に設置し、且つセンサースイッチ４は知らせるための警報機４１を設置している。上記稼動体１２が上向きに動くと、該稼動体１２の別端はセンサースイッチ４に接触するようになっている。
【００２５】
上記バネ３の一端は、プリンティングモジュール６の側面板６１の突出した第一軸柱６１１上に設置し、別の一端は上述の稼動体１２中段箇所の突出した第二軸柱１３上に設置する。また、プリンティングモジュール６の側面板６１と稼動体１２との間に連接して牽引力を提供し、稼動体１２を、ネジ栓１１を中心として快速に稼動させるようになっている。
【００２６】
更に、プリンティングモジュール６の側面板６１上の稼動体１２後方の位置には、調整ネジ８を設置して上記稼動体１２の前後位置を調整して押さえるようになっている。
【００２７】
プリンティングモジュールが所定距離まで下降し、上記ローラーをプリンティングモジュールの表面に接触させると、該ローラーは稼動体の前方へ向かって進み、該稼動体及びバネを時計と逆方向に稼動させ、バネの動きが稼動装置のネジ栓の位置を超過する時、バネの牽引力が稼動体の別端を即座に上に動かして、センサースイッチに接触させ、警報機を稼動させて作業者にプリンティングモジュールの下降の停止を知らせる。
【００２８】
上述のとおり、本考案は考案の目的を達成し、異なる印刷待ち物品を交換すると同時に、スピーディにプリンティングモジュールを良好な印刷品質を得る高さまで調整し、印刷の品質を安定させ、産業利用価値を高める。
【図面の簡単な説明】
【００２９】
【図１】本考案の第一実施例を示す立体外観図である。
【図２】第一実施例の別角度から見た状態を示す立体外観図である。
【図３】第一実施例をプリンティングモジュールに設置した状態を示す立体外観図である。
【図４】第一実施例の作動状態を示す説明図である。
【図５】第一実施例の作動状態を示す説明図である。
【図６】第一実施例の作動状態を示す説明図である。
【図７】本考案の第二実施例を示す外観図である。
【符号の説明】
【００３０】
１        稼動装置
１１        ネジ栓
１２        稼動体
１２１        第二軸柱
２        ローラー
３        バネ
４        センサースイッチ
４１        警報機
５        板体
５１        第一軸柱
５２        欠切口
６        プリンティングモジュール
６１        側面板
６１１        第一軸柱
７        印刷待ち物品
８        調整ネジ
【図１】
0003139749.tif 000003
【図２】
0003139749.tif 000004
【図３】
0003139749.tif 000005
【図４】
0003139749.tif 000006
【図５】
0003139749.tif 000007
【図６】
0003139749.tif 000008
【図７】
0003139749.tif 000009